(57)【要約】【課題】本考案は、蝶番を使用せず、学校等で子供達が教材として製作するのに好適な開閉蓋付き木製小物箱を提供する。【解決手段】本考案の開閉蓋付き木製小物箱の完成品は、上面開口の直方体状の箱本体１と該箱本体１の上面開口を塞ぐ平板状の蓋体２とからなり、該蓋体２には回転軸棒３が接着固定され、該回転軸棒３により開閉自在となっている。本考案の開閉蓋付き木製小物箱は、蝶番を使用せず、左右側壁６，７の挿入孔１０の入口側及び回転軸棒３の左右両端を円錐状に形成しているので、枢着ネジ１１は円錐面に沿って挿入孔１０及び誘導孔１５の中心に誘導されて螺合できるため、箱本体１に蓋体２の取付けを簡単に行うことができる。【選択図】図１
0003128652.tif 000002
【実用新案登録請求の範囲】
【請求項１】
上面開口の直方体状の箱本体と該箱本体の上面開口を塞ぐ平板状の蓋体とからなり、前記蓋体には回転軸棒が係合する係合溝部が裏面の後端縁に形成され、該係合溝部には回転軸棒が接着固定され、箱本体の左右側壁に固定された枢着ネジにより前記回転軸棒を回転自在に枢着することを特徴とする開閉蓋付き木製小物箱。
【請求項２】
前記回転軸棒は、上面が平坦面の接着面となり、下部が円弧面となっている棒状体で、左右両端面には枢着ネジを誘導させる円錐状の誘導孔が形成されていることを特徴とする請求項１記載の開閉蓋付き木製小物箱。
【請求項３】
前記箱本体は、前壁、後壁、左側壁、右側壁、底壁の木製の上面開口状の直方体からなり、前記後壁は左右側壁より回転軸棒が嵌合する幅で低く形成され、前記左右側壁に前記後壁の左右端部が咬み合い嵌合する切り欠き段部が形成されることを特徴とする請求項１記載の開閉蓋付き木製小物箱。
【請求項４】
前記左右側壁の切り欠き段部には、左右側壁を貫通する挿入孔が形成され、該挿入孔の入口側は枢着ネジを誘導させるために円錐状に形成されることを特徴とする請求項１記載の開閉蓋付き木製小物箱。
【考案の詳細な説明】
【技術分野】
【０００１】
本考案は、比較的小さい物を入れる開閉蓋付き木製小物箱であって、特に学校等で子供達が教材として製作するのに好適な開閉蓋付き木製小物箱に関する。
【背景技術】
【０００２】
従来、開閉蓋付き木製小物箱は、箱本体の後板に蓋体の後板を、これらの対向縁側左右端部に長方形状の蝶番を介して前後方向へ開閉自在に取り付けたり、或いは箱本体の後板の上縁側左右端部に蓋体の後壁左右端部を、長方形状の蝶番を介して前後方向へ開閉自在に取り付けていた。
前者は、箱本体の後板と蓋体の後板との対向縁側左右端部や、箱本体の後板の上縁側左右端部及び蓋体の後面左右端部等に蝶番を取付ける際に、蝶番の取付位置や蝶番の取付向きが決定できず、箱本体及び蓋体に蝶番を取付けるのが困難であった。
後者は、箱本体及び蓋体に蝶番を取付けるのが容易であっても、箱本体の後板と蓋体の後板との対向縁側左右端部及び蓋体の後面左右端部等に両方で長方形状をなす一対の蝶番取付溝部を夫々形成する際に、各蝶番取付溝部が長方形状であるため、フライス盤に取付けたエンドミル等では成形することができず、製造が著しく面倒であり、量産に不向きでコストアップの要因になっていた。
そこで、本出願人は、上述のような課題を解決するために、蝶番の取付位置と蝶番の取付向きとを決定できて、箱本体及び蓋体に蝶番を極めて容易に取り付けできるようにするばかりでなく、製造が著しく簡単であって、量産に最適で安価になるような開閉蓋付き木製小物箱を開発した（特許文献１を参照）。
この公知技術は、比較的小さい物を入れる箱本体の後板に蓋体の後板を、これらの対向縁側左右端部に夫々設けられた両方で略楕円形状をなす一対の略半楕円形状の蝶番取付溝部に略楕円形状の蝶番を介して開閉自在に取付けたものである。
しかし、子供達が学校で開閉蓋付き木製小物箱を教材として製作するには、箱本体及び蓋体に蝶番を取り付けすることが子供達にとって不向きであった。
【特許文献１】特許第２７３６４７５号公報
【考案の開示】
【考案が解決しようとする課題】
【０００３】
本考案は、蝶番を使用せず、学校等で子供達が教材として製作するのに好適な開閉蓋付き木製小物箱を提供することを目的とする。
【課題を解決するための手段】
【０００４】
本考案の開閉蓋付き木製小物箱は、上面開口の直方体状の箱本体と該箱本体の上面開口を塞ぐ平板状の蓋体とからなり、前記蓋体には回転軸棒が係合する係合溝部が裏面の後端縁に形成され、該係合溝部には回転軸棒が接着固定され、箱本体の左右側壁に固定された枢着ネジにより前記回転軸棒を回転自在に枢着するものである。
前記回転軸棒は、上面が平坦面の接着面となり、下部が円弧面となっている棒状体で、左右両端面には枢着ネジを誘導させる円錐状の誘導孔が形成されているものである。
前記箱本体は、前壁、後壁、左側壁、右側壁、底壁の木製の上面開口状の直方体からなり、前記後壁は左右側壁より回転軸棒が嵌合する幅で低く形成され、前記左右側壁に前記後壁の左右端部が咬み合い嵌合する切り欠き段部が形成されるものである。
前記左右側壁の切り欠き段部には、左右側壁を貫通する挿入孔が形成され、該挿入孔の入口側は枢着ネジを誘導させるために円錐状に形成されるものである。
【考案の効果】
【０００５】
本考案の開閉蓋付き木製小物箱は、蝶番を使用せず、左右側壁の挿入孔の入口側及び回転軸棒の左右両端を円錐状に形成しているので、枢着ネジは円錐面に沿って挿入孔及び誘導孔の中心に誘導されて螺合できるため、箱本体に蓋体の取付けを簡単に行うことができる効果がある。
【考案を実施するための最良の形態】
【０００６】
本考案の開閉蓋付き木製小物箱の一実施例を添付図面に基づいて、以下に説明する。
図１の斜視図に示すように、本考案の開閉蓋付き木製小物箱の完成品は、上面開口の直方体状の箱本体１と該箱本体１の上面開口を塞ぐ平板状の蓋体２とからなり、該蓋体２は回転軸棒３により開閉自在となっている。
【０００７】
図２の後方から見た分解斜視図に示すように、前記箱本体１は、前壁４、後壁５、左側壁６、右側壁７、底壁８の木製の上面開口状の直方体からなり、前記後壁５は左右側壁６，７より回転軸棒３が嵌合する幅で低く形成され、前記左右側壁６，７に前記後壁５の左右端部が咬み合い嵌合する切り欠き段部９が形成される。
また、前記左右側壁６，７の切り欠き段部９には、左右側壁６，７を貫通する挿入孔１０が形成され、該挿入孔１０の入口側は後述する枢着ネジ１１を誘導させるために円錐状に形成される。
前記蓋体２は木製の平板体からなり、前記蓋体２には前記回転軸棒３が係合する係合溝部１２が回転軸棒３の接着面１３の幅で裏面の後端縁に平行に形成され、該係合溝部１２には回転軸棒３の接着面１３が接着固定される。
前記回転軸棒３は、上面が平坦面の接着面１３となり、下部が円弧面１４となっている棒状体で、左右両端面には後述する枢着ネジ１１を誘導させる円錐状の誘導孔１５が形成されている。
【０００８】
次に、本考案の開閉蓋付き木製小物箱の組立てを添付図面に基づいて、以下に説明する。
図４に示す蓋体２の係合溝部１２に、回転軸棒３の接着面１３を前記係合溝部１２に一致させ、左右両端に左右側壁６，７の幅を残して接着剤で接着固定する。
したがって、前記蓋体２には、前記回転軸棒３が裏面の後端縁に一体に固定される。
次に、図５に示すように前記蓋体２を箱本体１の開口部に被せ、前記蓋体２の回転軸棒３を箱本体１の後壁の上に載せるように置く。
なお、粘着テープ１６で枢着ネジ１１で固定する際に前記箱本体１と蓋体２とがズレないように固定すると良い。
このとき、前記箱本体１の左右側壁６，７に設けた挿入孔１０と前記回転軸棒３の左右両端に設けた誘導孔１５がほぼ一致する。
【０００９】
そして、枢着ネジ１１は全体の先端半分にネジ山が形成され、ネジ山なし部分が前記左右側壁６，７となるものを用意する。
なお、前述のような先端のみにネジ山が形成された枢着ネジ１１は既製品として市販されている。
前記枢着ネジ１１を前記挿入孔１０に挿入し、図５に示すようにドライバー等の締付工具を使用して前記枢着ネジ１１を前記回転軸棒３に螺合させる。
前記左右側壁６，７の挿入孔１０の入口側及び回転軸棒３の左右両端を円錐状に形成しているので、前記枢着ネジ１１は円錐面に沿って中心に誘導されて螺合される。
【００１０】
図３の要部断面図に示すように、前記蓋体２の係合溝部１２に前記回転軸棒３の接着面１３が固定され、さらに左側壁６を貫通した枢着ネジ１１のネジ山が前記回転軸棒３に螺合固定される。
前記蓋体２を開閉すると、前記枢着ネジ１１が回転軸棒３と一体となって、前記枢着ネジ１１のネジ山なし部分を軸として回転する。
【図面の簡単な説明】
【００１１】
【図１】本考案の開閉蓋付き木製小物箱の斜視図である。
【図２】本考案の開閉蓋付き木製小物箱を後から見た分解斜視図である。
【図３】本考案の開閉蓋付き木製小物箱の要部断面図である。
【図４】蓋体に回転軸棒を接着する状態を示す分解斜視図である。
【図５】箱本体に蓋体を固定する状態を示す分解斜視図である。
【符号の説明】
【００１２】
１  箱本体
２  蓋体
３  回転軸棒
４  前壁
５  後壁
６  左側壁
７  右側壁
８  底壁
９  切り欠き段部
１０  挿入孔
１１  枢着ネジ
１２  係合溝部
１３  接着面
１４  円弧面
１５  誘導孔
１６  粘着テープ
【図１】
0003128652.tif 000003
【図２】
0003128652.tif 000004
【図３】
0003128652.tif 000005
【図４】
0003128652.tif 000006
【図５】
0003128652.tif 000007